(57)【要約】  【課題】パネルの前側や後側を好適に利用し得るための設計の自由度に優れた物品収納スタンドを提供する。  【解決手段】物品収納スタンドは、対をなす脚と、これら脚間に配され物品を保持し得るパネルとを備えてなり、前記脚が、上方に向かうにつれて漸次後方に位置してなる前傾斜面を備えたものとした。このようなものであれば、パネルの前側や後側を好適に利用し得るための設計の自由度に優れた物品収納スタンドを提供することができるものとなる。より具体的な態様としては、前記前傾斜面が、前記脚における前端部に位置しており、且つ、前記パネルの前面と略面一をなしているものがある。【選択図】図１
2018023567.tif 000002
【特許請求の範囲】
【請求項１】
対をなす脚と、これら脚間に配され物品を保持し得るパネルとを備えてなり、
前記脚が、上方に向かうにつれて漸次後方に位置してなる前傾斜面を備えている物品収納スタンド。
【請求項２】
前記脚が、上方に向かうにつれて漸次前方に位置してなる後傾斜面を備えている請求項１記載の物品収納スタンド。
【請求項３】
前記前傾斜面が、前記脚における前端部に位置しており、且つ、前記パネルの前面と略面一をなしている請求項１又は２記載の物品収納スタンド。
【請求項４】
前記パネルが、物品を掛け止めし得る複数の掛け止め孔を備えている請求項１、２又は３記載の物品収納スタンド。
【請求項５】
前記パネルが、磁石を吸着し得るものである請求項１、２、３又は４記載の物品収納スタンド。
【請求項６】
前記脚が、天板等の載置面に対して起立し得るものであり、
前記パネルが、前記載置面から離間した状態を採り得るように前記脚に支持されている請求項１、２、３、４又は５記載の物品収納スタンド。
【請求項７】
前記パネルに着脱可能に取り付けられ物品を少なくとも下から支持し得る支持部材を備えている請求項１、２、３、４、５又は６記載の物品収納スタンド。
【請求項８】
前記支持部材の下端部に連通孔を備える請求項７記載の物品収納スタンド。
【発明の詳細な説明】
【技術分野】
【０００１】
本発明は、天板等の載置面に載置して使用される物品収納スタンドに関する。
【背景技術】
【０００２】
従来、この種の物品収納スタンドとしては、物品を支持し得るパネルを主体に構成されたものが知られている（例えば、特許文献１を参照）。
【０００３】
ところが、このようなものは、通常、パネルが直立した状態を採ることしかできないものとなっている。
【０００４】
オフィス等における執務者においては、物品収納スタンドを、執務において使用される種々の物品を、パネルの前側や後側を好適に利用し得る態様で利用したいという要望がある。
【先行技術文献】
【特許文献】
【０００５】
【特許文献１】実開平４−１２９６７号公報
【発明の概要】
【発明が解決しようとする課題】
【０００６】
本発明は、以上のような事情に着目してなされたもので、少なくとも、パネルの前側や後側を好適に利用し得るための設計の自由度に優れた物品収納スタンドを提供することにある。
【課題を解決するための手段】
【０００７】
すなわち、本発明は次の構成をなしている。
【０００８】
請求項１に記載の発明は、対をなす脚と、これら脚間に配され物品を保持し得るパネルとを備えてなり、前記脚が、上方に向かうにつれて漸次後方に位置してなる前傾斜面を備えている物品収納スタンドである。
【０００９】
請求項２に記載の発明は、前記脚が、上方に向かうにつれて漸次前方に位置してなる後傾斜面を備えている請求項１記載の物品収納スタンドである。
【００１０】
請求項３に記載の発明は、前記前傾斜面が、前記脚における前端部に位置しており、且つ、前記パネルの前面と略面一をなしている請求項１又は２記載の物品収納スタンドである。
【００１１】
請求項４に記載の発明は、前記パネルが、物品を掛け止めし得る複数の掛け止め孔を備えている請求項１、２又は３記載の物品収納スタンドである。
【００１２】
請求項５に記載の発明は、前記パネルが、磁石を吸着し得るものである請求項１、２、３又は４記載の物品収納スタンドである。
【００１３】
請求項６に記載の発明は、前記脚が、天板等の載置面に対して起立し得るものであり、前記パネルが、前記載置面から離間した状態を採り得るように前記脚に支持されている請求項１、２、３、４又は５記載の物品収納スタンドである。
【００１４】
請求項７に記載の発明は、前記パネルに着脱可能に取り付けられ物品を少なくとも下から支持し得る支持部材を備えている請求項１、２、３、４、５又は６記載の物品収納スタンドである。
【００１５】
請求項８に記載の発明は、前記支持部材の下端部に連通孔を備える請求項７記載の物品収納スタンドである。
【発明の効果】
【００１６】
以上説明したように本発明によれば、少なくとも、パネルの前側や後側を好適に利用し得るための設計の自由度に優れた物品収納スタンドを提供することができる。
【図面の簡単な説明】
【００１７】
【図１】本発明の一実施形態を示す斜視図。
【図２】同実施形態における正面図。
【図３】同実施形態における左側面図。
【図４】同実施形態における平面図。
【図５】図２におけるＸ−Ｘ線断面図。
【図６】同実施形態における斜視図。
【図７】同実施形態における正面図。
【図８】同実施形態における平面図。
【図９】同実施形態における斜視図。
【発明を実施するための形態】
【００１８】
以下、本発明の一実施形態を、図１〜９を参照して説明する。
【００１９】
この実施形態は、本発明を、テーブルやデスク等の家具における天板Ｔの載置面ｔ１に載せ置いて使用される物品収納スタンドＡに適用したものである。物品収納スタンドＡは、物品Ｂである筆記具や手帳やノート等の文房具、或いは、物品Ｂであるスマートフォンや携帯電話等の小型電子機器を、使用者が当該物品Ｂを視認しやすく、且つ、アクセスしやすい態様で収納し得るものである。
【００２０】
物品収納スタンドＡは、天板Ｔの載置面ｔ１に載せ置くことができる全体として比較的小型のものであり、使用者が自由に移動させ得るように構成されている。
【００２１】
物品収納スタンドＡは、左右に対をなす脚１と、これら左右の脚１間に配され物品Ｂを保持し得るパネル２と、パネル２に着脱可能に取り付けられ物品Ｂを下から支持し得る支持部材３とを備えている。
【００２２】
以下、物品収納スタンドＡについて詳述する。
【００２３】
左右の脚１は、天板Ｔの載置面ｔ１に対して起立し得るものである。左右の脚１は、それぞれ板状をなしており、この実施形態では木製のものである。脚１は、上方に向かうにつれて漸次後方に位置してなる前傾斜面１１を備えている。前傾斜面１１は、脚１における前端部に位置している。脚１の前傾斜面１１は、パネル２の前面２ｓと略面一をなすように配設されている。
【００２４】
脚１は、側面視において略台形状に形成されている。すなわち、脚１は、載置面ｔ１に対して添接し得る底面１２と、底面１２に対して略直交する方向である後方を向く背面１３と、前方を向く前傾斜面１１と、前傾斜面１１の上端部と背面１３の上端部間に形成された上面１４と、左右に対をなす側面１５を備えている。
【００２５】
パネル２は、左右の脚１に支持されている。パネル２は、図示しないビス等により左右の脚１の内側の側面１５にそれぞれ止着されている。パネル２は、板状をなすメインパネル２１を主体に構成されている。
【００２６】
パネル２は、磁石を吸着し得るものである。すなわち、パネル２は、磁石を吸着し得る金属を主体に構成したもの、又は、磁石を内蔵してなる金属を主体に構成したものである。物品収納スタンドＡは、図１に示すように、物品Ｂである用紙を、マグネット部材Ｍを用いて、パネル２に止着することができるようになっている。
【００２７】
パネル２は、正面視において長方形状をなすメインパネル２１と、このメインパネル２１の上端縁から後方に延出した上端縁部分２２とを備えている。
【００２８】
メインパネル２１は、物品Ｂを直接的又は支持部材３を介して間接的に掛け止めし得る複数の掛け止め孔ｈを備えている。掛け止め孔ｈは、前後方向に貫通してなる丸孔状のものであり、この実施形態では、上下及び左右方向に３５ｍｍの間隔をあけて規則的に設けられている。
【００２９】
パネル２は、載置面ｔ１から一定寸法離間した状態を採り得るように脚１に支持されている。換言すれば、メインパネル２１の下端縁ｅは、載置面ｔ１から一定寸法離れて位置している。つまり、物品収納スタンドＡは、載置面ｔ１とメインパネル２１との間に形成された隙間ｓｋに配線ｎを通過させ得るように構成されている。
【００３０】
メインパネル２１は、後傾した態様で、脚１に支持されている。すなわち、メインパネル２１の前面２ｓは斜め上方を向くように傾斜している。この実施形態では、メインパネル２の前面２ｓが、左右の脚１における前傾斜面１１と略面一をなすように、パネル２を脚１に支持させている。
【００３１】
メインパネル２１は後傾した態様で脚１に支持されている。このため、例えば図５に示すように、脚１とパネル２とによって、メインパネル２１の背面２ｈ側に載置面ｔ１に載せ置いた図示しない物品を収容し得る背部収容空間ｓｐが形成されている。
【００３２】
支持部材３は、物品Ｂをメインパネル２１に支持させ得るためのものである。支持部材３は、メインパネル２１に設けられた掛け止め孔ｈと係わり合うことにより当該メインパネル２１に着脱可能に取り付けられるものである。
【００３３】
支持部材３は、金属製のものであり、掛け止め孔ｈに挿入し得る係合突片３１ｔを有した背面板３１と、この背面板３１の下端から前方に延出した底面板３２と、この底面板３２の前端から上方に立設された前面板３３とを一体に備えている。
【００３４】
背面板３１は、略矩形状のものであり、上部における左右二箇所に略Ｕ字状に設けられたスリットから後方に切り起こされてなる係合突片３１ｔを備えている。後方に突出した係合突片３１ｔは左右二箇所に設けられている。そして、左右の係合突片３１ｔの離間距離は、メインパネル２１において左右方向に隣接した抜け止め孔ｈに対応した位置に設けられている。この実施形態では、左右の係合突片３１ｔの離間距離は、３５ｍｍに設定されている。
【００３５】
底面板３２は、背面板３１から連続して設けられた矩形状のものであり、収納するべき物品Ｂを下から添接した状態で支持する主要部を構成するものである。底面板３２上に載置された物品Ｂは、その背面部がメインパネル２１の前面２ｓに添接し、当該メインパネル２１の前面２ｓに凭れた状態をとることになる。
【００３６】
支持部材３の下端部たる底面板３２には、上下方向に連通する連通孔３２ａを備えている。この連通孔３２ａには、物品Ｂであるスマートフォンに接続する充電用の配線ｎを通過させ得るようになっている。つまり、物品収納スタンドＡは、支持部材３を介して物品Ｂであるスマートフォンを支持させることによって、当該スマートフォンを充電することができるようになっている。
【００３７】
なお、支持部材３に支持された物品Ｂであるスマートフォンは図１や図５に示すように、金属製のパネル２に凭れた態様をとるため、放熱性に優れたものとなっている。
【００３８】
前面板３３は、底面板３２から連続して設けられた矩形状のものであり、底面板３２上に載せ置かれた物品Ｂの前方へのずれ動きを抑制し得るものである。
【００３９】
以上説明したように、本実施形態に係る物品収納スタンドＡは、対をなす脚１と、これら脚１間に配され物品Ｂを保持し得るパネル２とを備えてなる。そして、脚１が、上方に向かうにつれて漸次後方に位置してなる前傾斜面１１を備えている。このため、パネル２の前側や後側を好適に利用し得るための設計の自由度に優れた物品収納スタンドＡを提供することができるものとなる。
【００４０】
つまり、脚１が前傾斜面１１を備えたものであるため、この脚１に支持されたパネル２の前側又は後側には、脚１とパネル２とによって囲まれた一定の空間（この実施形態では背部収納空間ｓｐ）が形成されることになる。このため、パネル２に物品Ｂを支持させるという基本機能とともに、当該背部収納空間ｓｐを利用して物品Ｂを好適に収納し得るものとなる。
【００４１】
前傾斜面１１が、脚１における前端部に位置しており、且つ、パネル２の前面２ｓと略面一をなしている。このため、パネル２の前面２ｓが傾斜した態様をなすので視認性に優れるとともに物品Ｂをパネル２に対して安定的に支持させ得るものとなる。
【００４２】
しかも、図９に示す通り、同一形状をなす他の物品収納スタンドＢを隣り合わせて使用する際に、一方の物品収納スタンドＡと他方の物品収納スタンドＢとを架けわたすように所定の幅寸法に形成された連結用の支持部材３を取り付けることが可能となる。
【００４３】
換言すれば、脚１が、パネル２の前面２ｓと略面一をなした前傾斜面１１を備えたものであるため、隣り合うパネル２間を支持部材３で繋ぐ際に、脚１が支持部材３と干渉し難いものとなっている。
【００４４】
パネル２が、物品Ｂを掛け止めし得る複数の掛け止め孔ｈを備えている。このため、掛け止め孔ｈを利用して物品Ｂを直接的又は間接的にパネル２に支持させることができるものとなる。
【００４５】
パネル２が、磁石を吸着し得るものである。このため、磁石を備えた取り付け用のマグネット部材Ｍを介して、種々の物品Ｂであるシート体をパネル２に対して一時的に留めることができるものとなる。
【００４６】
脚１が、天板Ｔ等の載置面ｔ１に対して起立し得るものである。そして、パネル２が、載置面ｔ１から離間した状態を採り得るように脚１に支持されている。このため、パネル２と載置面ｔ１との間に形成された隙間ｓｋを利用して、配線ｎを通すことができるようになっている。
【００４７】
パネル２に着脱可能に取り付けられ物品Ｂを少なくとも下から支持し得る支持部材３を備えている。このため、パネル２に対して、支持部材３を介して、物品Ｂを好適に支持させることができるものとなる。
【００４８】
支持部材３の下端部たる底面板３２に連通孔３２ａを備えている。このため、連通孔３２ａに電源コード等の配線ｎを通過させることができるものとなっている。
【００４９】
なお、本発明は、以上に詳述した実施形態に限られるものではない。
【００５０】
物品収納スタンドを構成し得る脚、パネル、支持部材の大きさは、種々設定し得るものであることは言うまでもない。
【００５１】
脚は、上方に向かうにつれて漸次前方に位置してなる後傾斜面を備えているものであってもよい。このようなものであっても所期の目的を達成し得るものとなる。
【００５２】
その他、各部の具体的構成についても上記実施形態に限られるものではなく、本発明の趣旨を逸脱しない範囲で種々変形が可能である。
【符号の説明】
【００５３】
Ａ…物品収納スタンド
１…脚
１１…前傾斜面
２…パネル
３…支持部材
【図１】
2018023567.tif 000003
【図２】
2018023567.tif 000004
【図３】
2018023567.tif 000005
【図４】
2018023567.tif 000006
【図５】
2018023567.tif 000007
【図６】
2018023567.tif 000008
【図７】
2018023567.tif 000009
【図８】
2018023567.tif 000010
【図９】
2018023567.tif 000011